(57)【要約】【課題】遮蔽物等によるカメラへの干渉を検知するにはセンサ等の増設が必要となり、相応の費用がかかっていた。本発明の課題は、人の目視やセンサを用いることなく画像の異常を現金自動取引装置で検知でき、従来の方式より安価な自動監視機能を提供することにある。【解決手段】カメラによって撮影された画像を解析し、色数が予め決めた基準値を下回った場合に、その画像は異常であると判断することで、人の目視やセンサを用いることなく画像の異常を現金自動取引装置で検知する。【選択図】図１
2008123013.tif 000002
【特許請求の範囲】
【請求項１】
金融機関等に設置された現金自動取引装置において、接続された監視カメラによって撮
影した画像が、遮蔽物によって撮影を妨害されたことを検知する方法で、あらかじめ正常
に人物撮影が行われた場合の、画像の色数を基準値として記憶装置に記憶し、撮影した画
像の色数が基準値から一定以下に下回った場合に、遮蔽物により撮影が妨害されたと判断
し、取引の中断および、監視センタへの通報を行うことを特徴とする現金自動取引装置。
【請求項２】
請求項１において、基準値の設定を予め撮影した基準画像から色数を抽出し、基準値と
して記憶することを特徴とする現金自動取引装置。
【発明の詳細な説明】
【技術分野】
【０００１】
本発明は、金融機関等に設置してある現金自動取引装置あるいは監視カメラで撮影した
画像の異常検知に関するものである。
【背景技術】
【０００２】
一般に監視カメラ等で撮影された画像は人の目視によって異常の有無が判断されている
。
【０００３】
また、カメラに遮蔽物感知用のセンサを取り付けて自動でカメラの撮影妨害を検知する
方法の例としては特開２０００−３３１２５１号公報の「侵入者検出装置」に記載の方法
がある。
【０００４】
【特許文献１】特開２０００−３３１２５１号公報
【発明の開示】
【発明が解決しようとする課題】
【０００５】
従来技術では異常を発見するのに監視画像を逐次監視員が見ている必要があった。また
、カメラへの干渉を検知するにはセンサ等の増設が必要となり、どちらも相応の費用がか
かっていた。
【課題を解決するための手段】
【０００６】
カメラのレンズを手で塞がれる等して撮影された画像は、画像に含まれる色数が極端に
少なくなる。そこで本発明では、カメラによって撮影された画像を解析し、色数が予め決
めた基準値を下回った場合に、その画像は異常であると判断することで、人の目視やセン
サを用いることなく画像の異常を現金自動取引装置で検知することが可能である。
【発明の効果】
【０００７】
本発明によれば、人の目視やセンサを用いることなく画像の異常を現金自動取引装置で
検知できるため、従来の方式より安価に自動監視機能を提供できる。
【発明を実施するための最良の形態】
【０００８】
以下に、本発明の実施の形態を図に基づき説明する。
【０００９】
図１は監視画像の異常検出の概要図である。
【００１０】
監視カメラ４によって撮影された基準画像１００１から計算した基準画像の色数データ
１００２は色数の基準値として磁気記憶装置７に記憶する。
【００１１】
監視カメラ４によって撮影された監視画像１００３から計算した色数データは磁気記憶
装置７に記憶された色数データの基準値と比較し基準値から大きく下回る場合は監視カメ
ラが塞がれていると判断する。
【００１２】
図２は撮影から以上検出にいたるシーケンス図である。
【００１３】
現金自動取引装置１の本体制御プログラム１００はカメラ制御プログラム１０２に撮影
指示を行い、カメラ制御プログラム１０２は監視カメラ４を使って撮影を行う。監視カメ
ラ４によって撮影された画像はカメラ制御プログラム１０２から画像解析プログラム１０
３へ撮影した画像を渡し、画像解析プログラム１０３は画像から色数を計算し、磁気記憶
装置７に記憶した色数の基準値と計算した画像の色数を比較し、比較の結果と監視画像を
本体制御プログラムへ渡す。本体制御プログラム１００は画像解析プログラム１０３から
受けた比較の結果から撮影した画像に異常が無いか判断する。
【００１４】
図３は現金自動取引装置に適用する場合の構成図を表し、現金自動取引装置１は現金自
動取引装置１の制御を行う本体制御部２と、種々の情報を現金自動取引装置１の利用者に
提供し、且つ利用者からの入力を受け付ける為の顧客操作パネル部３と、現金自動取引装
置１の監視画像を撮影する為の監視カメラ部４と、監視カメラ部４で撮影された画像を展
開する撮影画像メモリ５と、キャッシュカードの情報を読み取るための磁気カード機構６
と、プログラムや監視画像などの種々の情報を記憶しておく磁気記憶装置７と、取引の結
果を明細票に印字し現金自動取引装置１の利用者へ発行する明細票印字機後部８と、紙幣
を格納し利用者の指示により出金する紙幣入出金機構９と、監視センタ１１と接続する為
の回線接続部１０とを有する。
【００１５】
監視センタ１１は少なくとも監視画像を記憶しておく為の磁気記憶装置１２と監視画像
を表示する為のモニタ１３を有する。
【００１６】
図８は画像のデータ構造に関する図である。
【００１７】
画像データＤ１は、監視カメラ部４によって撮影され、少なくとも画像を判別するため
に撮影された日時Ｄ３および画像を表示する際の縦と横の画素数を示すサイズＤ４の情報
を有する画像ヘッダＤ２と、各画素を色の三原色である赤、緑、青の数値で表すＲ要素Ｄ
５、Ｇ要素Ｄ６、Ｂ要素Ｄ７から成る画素データＤ８を含み、一枚の画像データＤ１に一
つの画像ヘッダＤ２と複数の画素データＤ８で構成される。
【００１８】
本発明の実施例を図に基づいて説明する。
【００１９】
図４は基準画像から基準値を保存するまでの流れを示した図で、先ず現金自動取引装置
１に接続または内蔵された監視カメラ部４により、金融機関の係員もしくは、現金自動取
引装置１の保守員の操作で、人物を含み監視画像１００３との比較対照となる基準画像１
００１を撮影し、画像データＤ１を撮影画像メモリ５へ展開する（Ｓ１）。
【００２０】
次に、展開した基準画像１００１から基準値となる色数データ１００２を抽出するため
、基準画像１００１の画像データＤ１の色数を計算する（Ｓ２）。
【００２１】
図７は画像データＤ１の色数を計算する処理のフロー図で、先ず、使用色一覧を初期化
し一覧に一つの画素データＤ８も含まれていない状態にし、色数を０に設定する（Ｓ３０
）。次に、色数計算の対象となる画像データＤ１から最初の画素データＤ８を取得し（Ｓ
３１）、使用色一覧に登録されている画素データの中に取得した画素データＤ８と同じ値
の画素データが含まれているか判定する（Ｓ３２）。使用色一覧に取得した画素データＤ
８と同じ値の画素データが含まれていない場合、該当の画素データＤ８の値を使用色一覧
に登録し（Ｓ３３）、色数に１加算する（Ｓ３４）。使用色一覧に取得した画素データＤ
８と同じ値の画素データが含まれている場合にはＳ３３、Ｓ３４の処理は行わずに次の処
理へ移行する。取得した画素データＤ８の判定が済んだ後、画像データＤ１に次の画素デ
ータＤ８が有るか判定し（Ｓ３５）、次の画素データＤ８が有ればその画素データを取得
しＳ３２からの処理を同様に行う（Ｓ３６）。このようにしてすべての画素データを判定
することにより画像データＤ１の色数を計算でき、色数データ１００２の抽出が完了する
。
【００２２】
次に、Ｓ２で計算し抽出された色数データ１００２を現金自動取引装置１の磁気記憶装
置７に色数データの基準値として保存する（Ｓ３）。
【００２３】
以上により、監視画像１００３が被写体の人物が故意に監視カメラ４のレンズを手など
で覆い隠して撮影妨害した状態で撮影された画像であるかを判断する為の基準値が準備で
きる。
【００２４】
続いて図５を用いて監視画像の異常検知について説明する。
【００２５】
図５は監視画像を撮影してから異常検知までの流れを示した図で、先ず現金自動取引装
置１を利用者が操作し取引を行い始めると、現金自動取引装置１は任意のタイミング（キ
ャッシュカード等の挿入タイミングや現金の受け取りタイミング）で監視カメラ４に撮影
指示を出す。監視カメラ４はカメラ制御プログラム１０２を介して現金自動取引装置１の
本体制御プログラムからの撮影指示を受けて操作中の利用者を撮影し、画像データＤ１を
撮影画像メモリ５へ展開する（Ｓ１０）。
撮影された監視画像１００３はカメラ制御プログラム１０２を介して画像解析プログラム
１０３に送られ、正常な画像であるか解析を行う（Ｓ１１）。
【００２６】
図６は画像解析処理のフロー図である。
【００２７】
先ず、監視カメラ４によって撮影された監視画像１００３の画像データＤ１から図７に
示す方法で色数データを抽出する（Ｓ２０）。
【００２８】
続いて、抽出した監視画像１００３の色数データを予め設定された基準値と比較する（
Ｓ２１）。この比較では監視画像１００３の色数が基準値を下回っているかの比較を行う
が、監視画像１００３の色数には多少のばらつきがあるため、一定の閾値を設けることが
望ましい。
【００２９】
比較の結果、監視画像１００３の色数データが基準値より大きければ解析結果を正常と
し、本体制御プログラム１００への解析結果として正常の報告を行う（Ｓ２３）。
【００３０】
また、比較の結果、監視画像１００３の色数データが基準値より閾値を超えて下回る場
合、監視画像１００３が被写体の人物が故意に監視カメラ４のレンズを手などで覆い隠し
て撮影妨害した状態で撮影された画像の可能性があると判断する。但し、１回の異常検知
では故意ではなく偶然に監視カメラ４のレンズを覆ってしまっていることも考えられる為
、監視画像の再撮影を行う（Ｓ２５）。再撮影した監視画像は図７に示す方法で色数デー
タを抽出し（Ｓ２６）、再度、基準値との比較を行いそれでも基準値より閾値を超えて下
回る場合は、故意に監視カメラ４のレンズを覆い隠して撮影妨害していると判断し、本体
制御プログラム１００への解析結果として異常の報告を行う（Ｓ２４）。
【００３１】
次に、画像解析プログラム１０３から解析結果を受けた本体制御プログラム１００は、
解析結果が正常であれば利用者の行う取引を継続させる（Ｓ１２）。解析結果が異常であ
れば利用者の行う取引を中断し（Ｓ１３）、監視センタ１１へ異常と判断した画像と現金
自動取引装置１が取引中断した旨を送信する（Ｓ１４）。
【００３２】
以上、説明したように本発明によれば、監視カメラにセンサ等を付加しないでも撮影さ
れた画像の色数によって、遮蔽物による撮影妨害を検知できる。
【００３３】
前記実施例では、監視センタへ異常を通知するのみで処理を終えているが、現金自動取
引装置１から通知を受信した監視センタ１１は、送信された画像をモニタ１３で確認し、
利用者の特定が出来る画像であると判断した場合、現金自動取引装置１の取引中断状態を
解除し、利用者に取引を継続させることも可能である。
【産業上の利用可能性】
【００３４】
監視画像の解析結果が異常だった場合に取引を中断しているが、中断せずにカメラを塞
いでいる旨を現金自動取引装置の利用者へ伝える為、顧客操作パネル部に注意文言を出す
ようにすれば、撮影されているという意識を利用者に持たせることができ、防犯の役割も
果たすことができる。
【図面の簡単な説明】
【００３５】
【図１】本発明の概要図。
【図２】監視画像撮影のシーケンス図。
【図３】現金自動取引装置の構成図。
【図４】基準画像撮影の流れ図。
【図５】監視画像撮影の流れ図。
【図６】監視画像解析のフロー図。
【図７】色数計算処理のフロー図。
【図８】画像データの構成図。
【符号の説明】
【００３６】
１…現金自動取引装置、２…本体制御部、３…顧客操作パネル部、４…監視カメラ部、
５…撮影画像メモリ、６…磁気カード機構部、７…磁気記憶装置、８…明細票印字機構、
９…紙幣入出金機構、１０…回線接続部、１１…監視センタ、１２…磁気記憶装置、１３
…モニタ。
【図１】
2008123013.tif 000003
【図２】
2008123013.tif 000004
【図３】
2008123013.tif 000005
【図４】
2008123013.tif 000006
【図５】
2008123013.tif 000007
【図６】
2008123013.tif 000008
【図７】
2008123013.tif 000009
【図８】
2008123013.tif 000010